(57)【要約】      （修正有）【課題】階段に設置でき、安価で操作の容易な簡便な椅子を提供する。【解決手段】中・低層アパートなどの階段については、踊り場の上り階段と下り階段とのコンクリート製の間仕切り構造に取り付け固定させる機構を有するものとする。上り階段の２段目に座席シートを展開する機構を有するものとする。収納時においては、座席シートは階段の壁面に接し、通行の妨げとならないものとする。不必要に座席シートが展開しない安全レバーとしての機能と他の通行者との衝突を防止する機能を併せ持つポールを有するものとする。病気などにより緊急介助が必要な場合だけでなく、犯罪などの緊急通報にも利用できる緊急通報アラームの機能を有するものとする。【選択図】図１
0003133741.tif 000002
【実用新案登録請求の範囲】
【請求項１】
中・低層アパートなどの階段に設置し、階段への据付部と、利用時に展開できるシート部と、利用中であることを周囲に知らせるポール部により構成されたことを特徴とする階段用椅子装置
【請求項２】
階段の踊り場の上り階段と下り階段との間仕切り構造に取り付け、上り階段の２段目に座席シートを展開する機構を有することに特徴のある請求項１に記載の階段用椅子装置
【請求項３】
安全レバーとしての機能と、他の通行人などに座席シートの使用を気付かせる機能を有するポール部を備えることを特徴とする請求項１に記載の階段用椅子装置
【請求項４】
救急介護を求めること、緊急事態を通報すること等に利用できるアラーム音あるいは点滅ランプ等による緊急通報機能を有することを特徴とする請求項１に記載の階段用掎子装置
【考案の詳細な説明】
【技術分野】
【０００１】本考案は、高齢者や身体障害者が外出時に階段にて休息できる簡便な椅子に関する。
【背景技術】
【０００２】高齢者や身体障害者に配慮した階段用の電動の昇降椅子があるが、高価格であり、また操作法も複雑であり、広く普及しているとはいえない。駅の階段などに設置されているものは、わざわざ駅員を呼んで操作を依頼しなければならない。【０００３】高齢化社会を迎え、バリアフリーの必要性が求められているが、既存の中・低層アパートなどの階段については、高齢者の休息のための低価格で効果的な手段が提供されていないのが現状である。
【考案の開示】
【考案が解決しようとする課題】
【０００４】エレベーターのない中・低層アパートなどの階段に設置し、高齢者や身体障害者などが容易に利用でき休息がとれる簡便な椅子を提供すること。【０００５】高齢者や身体障害者などが安心して外出できるように、駅やデパートなどの階段に設置でき、しかも安価で操作の容易な簡便な椅子を提供すること。
これにより、『どこにもベンチ』があるという社会インフラの建設に資すること。
【課題を解決するための手段】
【０００６】本件考案による階段用椅子装置は、中・低層アパートなどの階段に設置し、階段への据付部と、利用時に展開できるシート部と、利用中であることを周囲に知らせる棒あるいはポール部により構成されたことを特徴とする。【０００７】中・低層アパートなどの階段については、踊り場の上り階段と下り階段との間仕切り構造に取り付け、上り階段の２段目に座席シートを展開する機構を有するものとする。
この座席シートは幅３５−４０ｃｍ、奥行き２５−３０ｃｍとする。座席シートが展開する位置については、間仕切り構造の壁から約５ｃｍ離し、段の奥より約５ｃｍ離すものとする。他の通行者の妨げとはならず、また座席シートの使用者は、間仕切り構造の壁にもたれかかることができるものとし、使用者の足は階段の踊り場の位置となるものとする。
また、上り階段と下り階段との間仕切り構造がない階段についても、階段の壁面に取り付け、踊り場の上り階段の２段目に座席シートを展開する機構を有するものとする。【０００８】本件考案による階段用椅子装置のポール部は、安全レバーとしての機能と、他の通行人などに座席シートの使用を気付かせる機能を有するものであり棒あるいはポールを動かさない限り座席シートは展開されないものである。
また、座席シートの使用後は、座席シートを元の位置つまり壁面に沿って収納する状態に戻さない限り、ポール部を元の位置に戻せないものとする。
この一例を、図２について説明すると、間仕切りのある階段、つまり階段の踊り場にてＵターンするものについては、Ａ点を支点とする構造とし、Ｂ点を持ち上げることによりポールは踊り場まで伸展するものとなり、上ってくる他の通行者にとって突然に足元に着座者に遭遇するということにならないようにするものである。
間仕切りのない階段については、Ｂ点を支点とする構造とし、Ａ点を引くことにより、着座者の前に衝突・接触防止のための防護棒となるものである。
これは一例であり、これに限定されるものではない。【０００９】本考案による階段用椅子装置は、アラーム音あるいは点滅ランプ等による緊急通報機能を有することにより、救急介護を求めることや緊急事態を通報すること等に利用できるものである。つまり容易に助けを求める手段を提供するものである。階段用椅子装置の場所が階段の踊り場付近ということから防犯対策としての機能も効果的に有するものである。
【考案の効果】
【００１０】４階建て５階建ての中・低層アパートについては、エレベータが設置されておらず、また一般的に築年数が古いことから住民には高齢者が多い。本件考案は、高齢者が、階段を上る途中に、安心して暫く休息できる簡易椅子を提供するものである。【００１１】また本件考案は、座席シートを利用していることを、他の通行者に気付かせるためのポールを備えることにより、着座者と通行者との衝突や接触などによる事故を防止する効果を有するものである。【００１２】更に本件考案は、アラーム装置を備えることにより、救護・介助を求める場合などに有効に機能するだけでなく、犯罪などの緊急事態においても警報・通知の有効な手段となるものである。【００１３】本件考案による階段椅子装置は、駅の階段、デパートの階段、公共施設の階段などに設置することにより、高齢者や身体障害者が安心して外出できる、いわば「どこにもベンチ」という社会インフラの実現に資するものである。
【考案を実施するための最良の形態】
【００１４】中・低層アパートなどの階段については、踊り場の上り階段と下り階段とのコンクリート製の間仕切り構造をはさむことにより簡単に取り付け固定させる機構を有するものとする。【００１５】そして上り階段の２段目に座席シートを展開する機構を有するものとする。座席シートを利用しない場合においては、座席シートは階段の壁面に接し、通行の妨げとならないものとする。【００１６】次に、不必要に座席シートが展開しない安全レバーとしての機能と他の通行者に座席シートの利用を知らせ、衝突を防止する機能を併せ持つポールを有するものとする。
つまり、図２について説明すると、Ａ点を支点とする構造となる安全レバーであって、Ｂ点を持ち上げることにより座席シートを階段に接しさせるロックが解除され、座席シートは階段に展開されるものとなり、ポールは踊り場まで伸展するものとなることにより、上ってくる他の通行者に座席シートの利用を知らせるものとする。
図１において説明すると、ポール部が間仕切り構造より２０−３０ｃｍ伸展することにより他の通行者に知らせ、衝突を防止する効果を有するものとなる。【００１７】デパートの階段、駅の階段などについては、階段中央の間仕切り構造の壁面ではなく、むしろ階段の側面の壁面に取り付けることが望ましい場合があり、この場合においては、図２について説明すると、Ｂ点を支点とする構造となる安全レバーであって、Ａ点を引っ張ることにより座席シートを階段に接しさせるロックが解除され、座席シートは階段に展開されるものとなり、ポールは着座者の前方に伸展し、他の通行者との衝突・接触防止のための防護棒となるものである。【００１８】尚、座席シートを元の壁面に接する位置に戻さない限り、ポールは元に戻せない機構とし、座席シートが展開されていることを他の通行者に知らせることにより事故を防止とするものとする。また、座席シートおよびポール部を赤色あるいは黄色などとすることにより、他の通行者にとって気付きやすく危険を防止するものとする。【００１９】次に緊急通報アラームの機能を有するものとする。これは警報音を発すること、あるいは点滅ランプが作動すること、あるいは事務所などに無線連絡するなどの装置とする。これにより、病気などにより緊急介助が必要な場合だけでなく、犯罪などの緊急通報にも利用できるものとする。
【図面の簡単な説明】
【００２０】
【図１】本考案による座席シートを階段に展開した場合の、シート部とポール部との位置を示す概略図である。
【図２】本考案による座席シートを階段の壁面に沿って収納した場合の、シート部とポール部との位置を示す概略図である。
【図３】本考案による座席シートを階段に展開した場合の、概略正面図である。
【図４】本考案による座席シートを階段の壁面に沿って収納し、ポール部を元の位置に戻しロックする前の時点の概略図である。
【符号の説明】
【００２１】１．階段
２．階段の間仕切り構造部
３．座席シート
４．ポール部
５．Ａ点（間仕切り構造に据え付けた場合のポール部の支点）
６．Ｂ点（階段側面の壁面に据え付けた場合のポール部の支点）
【図１】
0003133741.tif 000003
【図２】
0003133741.tif 000004
【図３】
0003133741.tif 000005
【図４】
0003133741.tif 000006
【手続補正書】
【提出日】平成19年4月12日(2007.4.12)
【手続補正１】
【補正対象書類名】実用新案登録請求の範囲
【補正対象項目名】全文
【補正方法】変更
【補正の内容】
【実用新案登録請求の範囲】
【請求項１】
中・低層アパートなどの階段に設置し、階段への据付部と、その据付け部から利用時に展開できる座席シート部と、座席シート部が展開している状態においては利用中であることを棒状部分が伸展することにより周囲に認識させるポール部により構成されたことを特徴とする階段用椅子装置
【請求項２】
階段の踊り場の上り階段と下り階段との間仕切り構造に取り付け、上り階段の２段目に座席シートを展開する機構を有することに特徴のある請求項１に記載の階段用椅子装置
【請求項３】
座席シート部の収納時には座席シート部の展開を棒状部分にて防止する安全レバーとなる機構と、座席シート部の展開時には、棒状部分を伸展することにより、他の通行人などに座席シートの使用を気付かせる機構となる棒状のポール部を備えることを特徴とする請求項１に記載の階段用椅子装置
【請求項４】
救急介護を求めること、緊急事態を通報すること等に利用できるアラーム音あるいは点滅ランプ等による緊急通報機能を有することを特徴とする請求項１に記載の階段用椅子装置